(57)【特許請求の範囲】
【請求項１】
上端開口部に開閉自在なキャップを取り付けた有底筒状のケース本体内に印字体が収納されており、使用時にキャップを開けて印面を露出させるようにしたキャップ付きの印鑑であって、前記ケース本体の上縁部に下方側へ末広がり状に傾斜した傾斜面を有するケース側軸受け部を設ける一方、キャップの下縁部に該ケース側軸受け部と密接する傾斜面を有するキャップ側軸受け部を設け、傾斜面にキャップ軸支用のピンを垂設して、このピンを中心にキャップをケース本体の開口部を閉じた水平な状態からケース本体の側壁に沿う位置へ移動し開口部を開けている垂直な状態まで回動自在に設けたことを特徴とする印鑑。
【請求項２】
ケース本体の開口部上端面とキャップ下端面は、キャップ回動時におけるキャップとケース本体との衝突を防止可能な曲面形状に形成されている請求項１に記載の印鑑。
【請求項３】
ケース本体の側面にクリップを設け、このクリップにケース側軸受け部とキャップ側軸受け部を形成した請求項１または２に記載の印鑑。
【請求項４】
印字体は、キャップを閉じた状態で先端部がケース本体の上端開口部よりも高い位置となるようにケース本体内に収納されて、開口部より突出した印字体の先端部でキャップの回動を規制しており、更に、このキャップの回動規制を解除するための解除機構が付設されている請求項１〜３のいずれかに記載の印鑑。
【請求項５】
解除機構は、印字体を収納しケース本体に上下動自在に内蔵される筒状の内側ケース体と、ケース本体の内部に設けたガイドピンを有し、内側ケース体の側壁には該ガイドピンと係合する案内溝が設けられており、内側ケース体の回動によりガイドピンに案内溝をガイドさせて印字体を所定長さ分だけ下降させ、キャップの回動規制を解除するよう構成されている請求項４に記載の印鑑。
【請求項６】
解除機構は、ケース側およびキャップ側軸受け部がケース本体に対して軸方向に移動可能に形成されており、該ケース側およびキャップ側軸受け部を上方に所定長さ分だけ上昇させ、あるいはケース本体を所定長さ分だけ下降させて、印字体の先端部がキャップ下端面よりも相対的に低い位置にすることで、キャップの回動規制を解除するよう構成されている請求項４に記載の印鑑。
【発明の詳細な説明】
【技術分野】
【０００１】
本発明は、開閉キャップ付きの印鑑に関し、ワンタッチ操作でキャップを開くことができ、特に開蓋状態においても開いたキャップを邪魔にならない位置によけておくことができて、使い勝手に優れた印鑑に関するものである。
【背景技術】
【０００２】
従来から、開閉キャップ付きの印鑑は種々の形式のものが知られており、最も原始的なものでは着脱自在なキャップタイプのものがある。しかしながら、この場合は取り外したキャップを紛失するおそれがあるため、開キャップした場合にもキャップが印鑑ケースに連結していて紛失しないようにした形式のものが開発されている。
【０００３】
このようなタイプのものとして、例えば特許文献１に示されるように、キャップを蝶番を介してケース上端部に取り付け、該蝶番を中心にキャップを１８０度反転させて開キャップ状態とし印面を露出させるようにしたものや、特許文献２に示されるように、キャップをケース上端部に設けたピンを中心に水平方向に回動自在に採り付け、該ピンを中心にキャップを水平方向に１８０度回動させて印面を露出させるようにしたもの等がある。
【０００４】
しかしながら、いずれのものも印面を露出させるのに、キャップを１８０度回動させ、ケースの軸方向に対し垂直方向に飛び出した状態で保持する構造であり、押印する際にキャップが邪魔になるという問題点や、キャップをぶつけて破損させる場合があるという問題点あった。
【特許文献１】実開昭６１−９８０６４号公報
【特許文献２】特開２００４−２３０６３９号公報
【発明の開示】
【発明が解決しようとする課題】
【０００５】
本発明は上記のような問題点を解決して、使用時においてキャップを開けて簡単に印面を露出させることができ、しかも、開蓋状態においてキャップを邪魔にならない位置によけておくことができる印鑑を提供することを目的として完成されたものである。
【課題を解決するための手段】
【０００６】
上記課題を解決するためになされた本発明の印鑑は、上端開口部に開閉自在なキャップを取り付けた有底筒状のケース本体内に印字体が収納されており、使用時にキャップを開けて印面を露出させるようにしたキャップ付きの印鑑であって、前記ケース本体の上縁部に下方側へ末広がり状に傾斜した傾斜面を有するケース側軸受け部を設ける一方、キャップの下縁部に該ケース側軸受け部と密接する傾斜面を有するキャップ側軸受け部を設け、傾斜面にキャップ軸支用のピンを垂設して、このピンを中心にキャップをケース本体の開口部を閉じた水平な状態からケース本体の側壁に沿う位置へ移動し開口部を開けている垂直な状態まで回動自在に設けたことを特徴とするものである。
【発明の効果】
【０００７】
本発明の印鑑は、使用時にキャップを開けて印面を露出させるようにしたキャップ付きの印鑑であって、キャップをケース本体の開口部を閉じた水平な状態からケース本体の側壁に沿う位置へ移動し開口部を開けている垂直な状態まで回動自在に設けた構造としたので、ワンタッチ操作でキャップを開くことができるうえに、開蓋状態においても開いたキャップを邪魔にならない位置によけておくことができ、優れた使い勝手を奏することができる。
【発明を実施するための最良の形態】
【０００８】
以下に、図面を参照しつつ本発明の好ましい実施の形態を示す。
図１１は本発明の印鑑を示す正面図、２は側面図、図３は要部の斜視図、４は要部の分解斜視図であり、図において１は有底筒状のケース本体、２はケース本体１内に収納された印字体、３は印字体１の上端開口部を開閉自在なキャップ、４はクリップであり、使用時においてキャップ３を開けて印字体２の印面を露出させるように構成したキャップ付きの印鑑である。
【０００９】
本発明では、図４に示されるように、前記ケース本体１の上縁部に下方側へ末広がり状に傾斜した傾斜面５ａを有するケース側軸受け部５を設ける一方、キャップ３の下縁部に該ケース側軸受け部５と密接する傾斜面６ａを有するキャップ側軸受け部６を設け、傾斜面にキャップ軸支用のピン７を垂設した構造となっており、これにより前記ピン７を中心にキャップ３をケース本体１の開口部１ａを閉じた水平な状態から、ケース本体１の側壁に沿う位置へ移動し開口部1aを開けている垂直な状態まで自在に回動するよう構成されている。
即ち、本発明ではキャップ軸支用のピン７を斜めに取り付けることにより、キャップ３をケース本体１の軸方向に対して垂直方向から平行方向まで回動可能な構造としたものである（図１、図５を参照）。
この結果、キャップ３を開けて印鑑を使用する際に、キャップ３がケース本体１の側壁に沿う位置にあり、従来のようにケースの軸方向に対し垂直方向に飛び出した状態とならないため、キャップが邪魔にならず優れた使い勝手を奏することとなる。
【００１０】
なお、前記キャップ３の円滑な回動を確保するように、ケース本体１の開口部上端面とキャップ下端面の形状は、キャップ３とケース本体１との衝突を防止可能な三次元的な曲面形状に形成されている。実施例のものでは、図１、図２に示すように、キャップ３の回転中心であるピン７を中心に左右対称であり、かつピン側近い部分が正面から見て大きく下方側へ膨らんだ円弧とし、更に先端に向けて上方側へ若干膨らんだ円弧としたなだらかな三次元の曲面形状となっている。
【００１１】
また、図示のものでは、前記ケース側軸受け部５、キャップ側軸受け部６は、ケース本体１の側面に設けたクリップ４に形成されたものとなっており、別部材が突出することもなく使い勝手に優れ、またデザン的にも違和感がなくスッキリしたものとなっている。
更に、前記キャップ軸支用のピン７にはスプリング８が装着されているとともに、少なくとも軸受け部の傾斜面５ａ、６ａのいずれか一方にはスプリング８ｂに付勢されたベアリング８ａが装着されていて、キャップ３の円滑な回動を保証している（図４、図９を参照）。
【００１２】
また、８ｃは前記ベアリング８ａを位置決めするための凹部であり、両者が係合することでキャップ３の閉状態および開状態において、キャップ３がしっかりと固定されるようになっている。
なお、９はストッパー、１０は係合溝であり、キャップ３が一方向へのみ回動するとともに、閉蓋時におけるキャップ３の位置あわせができる構造となっている（図８を参照）。
【００１３】
また、前記キャップ３は、常時は回動が規制されて開かないようになっており、印鑑の使用時のみに開蓋する構造となっている。
つまり本発明では、印字体２は、キャップ３を閉じた状態で先端部がケース本体１の上端開口部１ａよりも高い位置となるようにケース本体１内に収納されていて、開口部１ａより突出した印字体２の先端部でキャップ３の回動を規制しているのである（図１を参照）。
一方、キャップ３を回動する場合は、前記印字体２の先端部がキャップ３に当たって回動することができないため、キャップ３の回を確保するように、例えば、動印字体２を邪魔にならない位置まで下降させたり、あるいはキャップ３を邪魔にならない位置まで上昇させる等のキャップ回動規制を解除するための解除機構が付設された構造となっている。
【００１４】
この解除機構は、図９〜１１に示されるように、印字体２を収納しケース本体１に上下動自在に内蔵される筒状の内側ケース体１１と、ケース本体１の内部に設けたガイドピン１２を有し、内側ケース体の側壁には該ガイドピン１２と係合する案内溝１３が設けられており、内側ケース体１１の回動によりガイドピン１２に案内溝１３をガイドさせて印字体２を所定長さ分だけ下降させ、キャップ３の回動規制を解除するよう構成したものとすることができる。なお、図１１に内側ケース体１１を示す。
【００１５】
以下に、この解除機構の作動について説明する。
キャップ３を開く場合は、先ず、内側ケース体１１を回す。これにより、内側ケース体１１は案内溝１３がガイドピン１２に案内されて所定長さ分だけ下降し、先端部に取り付けられている印字体２も所定長さ分だけ下降する（図６を参照）。すると、常時は開口部１ａより突出した印字体２の先端部でキャップ３の回動を規制している状態が解除され、キャップ３の回動が可能となる（図７を参照）。
この状態で、キャップ３をピン７を中心にケース本体１の開口部を閉じた水平な状態からケース本体１の側壁に沿う位置へ移動し開口部１ａを開けている垂直な状態まで回動させる。その後、内側ケース体１１を先程とは逆の動作で回して上昇させ、再び印字体２の先端部が開口部１ａより突出した状態とする（図８、図９を参照）。
このように、キャップ３の開状態で押印するが、キャップ３は邪魔にならない位置にあるため、非常に優れた使い勝手を得ることができる。
【００１６】
その他、解除機構としては、図１２〜１７に示されるように、ケース側およびキャップ側軸受け部がケース本体に対して軸方向に移動可能に形成されており、該ケース側およびキャップ側軸受け部６を上方に所定長さ分だけ上昇させ、あるいはケース本体１を所定長さ分だけ下降させて、印字体の先端部がキャップ下端面よりも相対的に低い位置にすることで、キャップ３の回動規制を解除するよう構成したものとすることもできる。
【００１７】
この場合は、キャップ３を開く際に、先ず、キャップ３を若干持ち上げてキャップ下端面が開口部１ａより突出した印字体２の先端部と高さよりも高い位置とする（図１３、図１４を参照）。なお、図１８〜図１９にこの断面図を示す。次いで、この状態でキャップ３をピン７を中心に回動することにより、キャップ３をピン７をケース本体１の開口部を閉じた水平な状態から、ケース本体１の側壁に沿う位置へ移動して開口部１ａを開けた垂直な状態とする（図１５〜１７を参照）。
この状態で押印すれば、キャップ３は邪魔にならない位置にあるため、非常に優れた使い勝手を得ることができる。
【００１８】
なお、前記解除機構の作動とキャップ３の回動、あるいはキャップ３の回動と印字体の昇降動とがそれぞれ連動するように、例えば歯車機構（図示せず）などを介在させ、キャップ３の開閉に伴って自動的に印字体２を下降させるように構成することも可能である。
【００１９】
また、キャップ３の上面を上方に膨出する円弧状の曲面としておけば、角部がないため引っ掛かることがなく取り扱い性に優れたものとなる。また、キャップ３の上面に凹凸形状を施しておけば、指でキャップの開閉操作をする際に滑ることがなく使用勝手に優れたものとなる。
【００２０】
以上の説明からも明らかなように、本発明の印鑑は上端開口部に開閉自在なキャップを取り付けた有底筒状のケース本体内に印字体が収納されており、使用時にキャップを開けて印面を露出させるようにしたキャップ付きの印鑑において、前記キャップをケース本体の開口部を閉じた水平な状態からケース本体の側壁に沿う位置へ移動し開口部を開けている垂直な状態まで回動自在に設けたものとしたので、使用時においてキャップを邪魔にならない位置によけておくことができ、使い勝手に優れた印鑑を提供できることとなる。また、キャップを開けても置き忘れや紛失などのおそれがないため、安心して使用することができるという利点もある。
【図面の簡単な説明】
【００２１】
【図１】本発明の実施の形態を示す正面図である。
【図２】本発明の実施の形態を示す側面図である。
【図３】本発明の実施の形態を示す斜視図である。
【図４】本発明の実施の形態を示す要部の斜視図である。
【図５】キャップを開いた状態を示す正面図である。
【図６】内側ケース体を回動した状態を示す側面図である。
【図７】キャップを回動する状態を示す正面図である。
【図８】キャップの回動を終了した状態を示す正面図である。
【図９】本発明の実施の形態を示す断面図である。
【図１０】内側ケース体を回動した状態を示す断面図である。
【図１１】内側ケース体１１を示す正面図である。
【図１２】その他の実施の形態を示す正面図である。
【図１３】軸受け部を上昇した形態を示す正面図である。
【図１４】図１３の斜視図である。
【図１５】キャップを回動する状態を示す正面図である。
【図１６】図１５の斜視図である。
【図１７】キャップの回動を終了した状態を示す正面図である。
【図１８】その他の実施の形態を示す断面図である。
【図１９】図１３の断面図である。
【符号の説明】
【００２２】
１  ケース本体
１ａ  開口部
２  印字体
３  キャップ
４  クリップ
５  ケース側軸受け部
５ａ  傾斜面
６  キャップ側軸受け部
６ａ  傾斜面
７  ピン
８スプリング
８ａ  ベアリング
８ｂ  スプリング
８ｃ  凹溝
９  ストッパー
１０  係合溝
１１  内側ケース体
１２  ガイドピン
１３  案内溝
【図１】
0004737677.tif 000002
【図２】
0004737677.tif 000003
【図３】
0004737677.tif 000004
【図４】
0004737677.tif 000005
【図５】
0004737677.tif 000006
【図６】
0004737677.tif 000007
【図７】
0004737677.tif 000008
【図８】
0004737677.tif 000009
【図９】
0004737677.tif 000010
【図１０】
0004737677.tif 000011
【図１１】
0004737677.tif 000012
【図１２】
0004737677.tif 000013
【図１３】
0004737677.tif 000014
【図１４】
0004737677.tif 000015
【図１５】
0004737677.tif 000016
【図１６】
0004737677.tif 000017
【図１７】
0004737677.tif 000018
【図１８】
0004737677.tif 000019
【図１９】
0004737677.tif 000020